(57)【要約】【課題】メイン基板のコネクタベースから小型コネクタ基板のコネクタソケットを引き抜く際にコネクタソケットが破損しないように改良した小型コネクタ基板と、これを用いてスピーカとメイン基板を接続した薄型液晶テレビを提供する。【解決手段】メイン基板５のコネクタベース６のコンタクトピン６ａが下方から挿入されるコネクタソケット３と、スピーカなどのリードワイヤ１の半田接続された端部を保持するワイヤホルダー２とを、横並びに配置して横長の小型プリント基板４に実装し、コネクタソケット３の直上位置にピックアップツールの先端部７を挿入できる横長の長穴８を形成した構成の小型コネクタ基板１００とする。長穴８にピックアップツールの先端部７を挿入してコネクタソケット３にストレスがかからないように真上に引き抜くことができるので、コネクタソケット３の破損を防止することができる。【選択図】図１
2010282857.tif 000002
【特許請求の範囲】
【請求項１】
スピーカなどをメイン基板に接続するための小型コネクタ基板であって、
メイン基板のコネクタベースのコンタクトピンが下方から挿入されるコネクタソケットと、スピーカなどのリードワイヤの半田接続された端部を保持するワイヤホルダーとを、横並びに配置して横長の小型プリント基板に実装すると共に、この小型プリント基板のコネクタソケットの直上位置に、ピックアップツールを挿入できる横長の長穴を形成したことを特徴とする小型コネクタ基板。
【請求項２】
請求項１に記載された小型コネクタ基板のコネクタソケットに、液晶モジュールの背面に取付られたメイン基板のコネクタベースのコンタクトピンを挿入し、フロントキャビネットに取付けられたスピーカをメイン基板に接続したことを特徴とする薄型液晶テレビ。
【発明の詳細な説明】
【技術分野】
【０００１】
本発明は、薄型液晶テレビのスピーカなどをメイン基板に接続するための小型コネクタ基板と、これを用いた薄型液晶テレビに関し、更に詳しくは、実装されているコネクタソケットをメイン基板のコネクタベースから引き抜く際にコネクタソケットが破損しないように改良した小型コネクタ基板と、これを用いてスピーカとメイン基板を接続した薄型液晶テレビに関する。
【背景技術】
【０００２】
従来より、液晶テレビなどの分野においては、フロントキャビネットの下部に取付けらるスピーカと、液晶モジュールのリアフレームの背面に取付られるメイン基板との接続を、図３に示すような小型コネクタ基板１０１を用いて行うことが知られている。
【０００３】
この小型コネクタ基板１０１は、スピーカのリードワイヤ１の半田接続された端部を保持するワイヤホルダー２と、メイン基板のコネクタベースのコンタクトピンが下方から挿入されるコネクタソケット３とを、上下に配置して小型プリント基板４Ａに実装したものである。けれども、かかる小型コネクタ基板１０１はかなりの高さがあるため、液晶テレビの薄型化によりメイン基板とリアキャビネットとの間隔が小さくなるに伴って、高さ制限を越えるという不都合を生じる場合が多くなってきた。
【０００４】
そこで、図４に示すように、コネクタソケット３とワイヤホルダー２とを横並びに配置して横長の小型プリント基板４Ｂに実装した小型コネクタ基板１０２を開発することとした。この小型コネクタ基板１０２は、コネクタソケット３とワイヤホルダー２を横並びに配置した分だけ高さが低くなるので、薄型液晶テレビの場合でも高さ制限をクリアし、仮想線で示すように、メイン基板５のコネクタベース６のコンタクトピン６ａをコネクタソケット３に下方から挿入して、スピーカとメイン基板５を接続することができる。
【０００５】
一方、スピーカと基板との接続に関する先行技術として、スピーカのリード線先端のコネクタを基板のコネクタに接続したもの（特許文献１）や、スピーカの入力端子と、プリント基板の出力端子に接続されるリードワイヤとが半田付けされるコネクタ基板を使用し、該コネクタ基板を平面略長方形とすると共に、該コネクタ基板の長手方向両端部に割取り部を形成したもの（特許文献２）などが知られている。
【先行技術文献】
【特許文献】
【０００６】
【特許文献１】特開平１０−１７８６９８号公報
【特許文献２】特開２００８−２４４５４１号公報
【発明の概要】
【発明が解決しようとする課題】
【０００７】
しかしながら、図４に示す小型コネクタ基板１０２は、メイン基板５のコネクタベース６からコネクタソケット３を抜き取る場合、抜取り作業のし易さから、小型プリント基板４Ｂのワイヤホルダー２を取付けた部分を指で摘んで抜き取ろうとするが、コネクタソケット３とコネクタベース６に設けられた抜け防止ストッパー（不図示）の抵抗力によって抜けにくいため、無理に引き抜こうとすると、矢印Ｘに示すように小型コネクタ基板１０２を回転させる向きの力が作用し、コネクタソケット３に大きいストレスがかかって、コネクタソケット３の内部のコンタクト片３ａが抜けてしまい、コネクタソケット３が破損する場合があった。
このようにコネクタソケット３が破損すると、コネクタソケット３を新しいものに交換する必要があり、交換部品代や交換作業の余計なコストアップが生じるので、小型コネクタ基板１０２を改良することが望まれる。
【０００８】
上記のような問題は、前記特許文献１，２に開示されたスピーカと基板との接続技術を応用しても、解決することはできない。
【０００９】
本発明は上記事情の下になされたもので、その解決しようとする課題は、メイン基板のコネクタベースから小型コネクタ基板のコネクタソケットを引き抜く際に、コネクタソケットが破損しないように改良した小型コネクタ基板と、これを用いてスピーカとメイン基板を接続した薄型液晶テレビを提供することにある。
【課題を解決するための手段】
【００１０】
上記課題を解決するため、本発明の小型コネクタ基板は、スピーカなどをメイン基板に接続するための小型コネクタ基板であって、メイン基板のコネクタベースのコンタクトピンが下方から挿入されるコネクタソケットと、スピーカなどのリードワイヤの半田接続された端部を保持するワイヤホルダーとを、横並びに配置して横長の小型プリント基板に実装すると共に、この小型プリント基板のコネクタソケットの直上位置に、ピックアップツールを挿入できる横長の長穴を形成したことを特徴とするものである。
【００１１】
そして、本発明の薄型液晶テレビは、上記の小型コネクタ基板のコネクタソケットに、液晶モジュールの背面に取付られたメイン基板のコネクタベースのコンタクトピンを挿入し、フロントキャビネットに取付けられたスピーカをメイン基板に接続したことを特徴とするものである。
【発明の効果】
【００１２】
本発明の小型コネクタ基板のように、小型プリント基板のコネクタソケットの直上位置に、ピックアップツールを挿入できる横長の長穴を形成してあると、長穴の短径分だけ小型コネクタ基板の高さが増すが、図３に示すようにワイヤホルダーとコネクタソケットを上下に配置して実装した従来のコネクタ基板１０１ほど高くはならないので、薄型液晶テレビの場合でも高さ制限をクリアしてメイン基板のコネクタベースに接続することができる。
【００１３】
そして、小型コネクタ基板をメイン基板から外す場合は、上記の長穴に例えばマイナスドライバーなどのピックアップツールの先端を挿入して真上方向に簡単に引き抜くことができるので、脱着作業性が良好であり、しかも、従来のように小型コネクタ基板を回転させる向きの力が作用してコネクタソケットに大きいストレスがかかることもないので、コネクタソケットの破損を充分防止することができる。
【００１４】
従って、本発明の小型コネクタ基板を用いてフロントキャビネットのスピーカを液晶モジュール背面のメイン基板に接続した本発明の薄型液晶テレビは、破損したコネクタソケットの交換に伴う余計なコストアップを抑えることができる。
【図面の簡単な説明】
【００１５】
【図１】本発明の一実施形態に係る小型コネクタ基板の正面図である。
【図２】本発明の一実施形態に係る薄型液晶テレビの概略説明図である。
【図３】ワイヤホルダーとコネクタソケットを上下に配置して実装した従来の小型コネクタ基板の正面図である。
【図４】コネクタソケットとワイヤホルダーを横並びに配置して実装した小型コネクタ基板の正面図である。
【発明を実施するための形態】
【００１６】
図１に示す小型コネクタ基板１００は、薄型液晶テレビのスピーカをメイン基板に接続するための小型コネクタ基板であって、メイン基板５のコネクタベース６に差込み接続されるコネクタソケット３と、スピーカのリードワイヤ１の半田接続された端部を保持するワイヤホルダー２とが、横並びに配置されて横長の高さ寸法が小さい小型プリント基板４に実装されている。
【００１７】
上記のコネクタソケット３は、内側にコンタクト片３ａを設けた複数のピン挿入孔３ｂを有するものであって、このコネクタソケット３を仮想線で示すメイン基板５のコネクタベース６に差し込むと、コネクタベース６の内側に立設された複数本のコンタクトピン６ａがピン挿入孔３ｂに挿入されてコンタクト片３ａと接触し、電気的に接続されるようになっている。
【００１８】
また、図示はしていないが、コネクタソケット３の外側面とコネクタベース６の内側面には、縦方向の差込みガイド用の凸条と凹溝が形成されており、コネクタソケット３をコネクタベース６に差し込み接続するときに、この差込みガイド用の凸条が差込みガイド用の凹溝内を摺動して、差込み接続作業をスムーズに行うことができるようになっている。そして、コネクタソケット３の外側面とコネクタベース６の内側面には、抜け防止用の係合突起と被係合凹部も形成されており、コネクタソケット３をコネクタベースに６に差込み接続すると、係合突起が被係合凹部に係合してコネクタソケット３の抜け出しが防止されるようになっている。
【００１９】
一方、ワイヤホルダー２は、挿入されたリードワイヤ１の端部を保持する略眼鏡状の保持孔２ａを備えたもので、このワイヤホルダー２の両端には、先端部を二つ割りにした差込みピン２ｂ，２ｂが形成されており、この差込みピン２ｂ，２ｂを小型プリント基板４のピン挿通孔１ａ，１ａに差し込んでピン先端の係止爪（不図示）を孔縁に係止させることによって、脱落しないように取付固定されている。
【００２０】
この小型コネクタ基板１００の大きい特徴は、小型プリント基板４の上記コネクタソケット３の直上位置に、マイナスドライバーなどのピックアップツールの先端部７を挿入できる横長の長穴８を形成したところにある。
【００２１】
この長穴８の短径（上下寸法）は、小型プリント基板４の高さ寸法の増加を極力抑えるために、ピックアップツールの先端部を挿入できる最小寸法とすることが好ましく、ピックアップツールがマイナスドライバーである場合には、２〜４ｍｍ程度、なかんずく３ｍｍ前後に設定するのが適当である。
【００２２】
なお、長穴８の長径（左右寸法）は特に制限されないが、長穴８の長径が大きすぎると、長穴８に挿入したピックアップツールの先端部７が左右に動いてコネクタソケット３の引抜き作業が不安定になるので、長穴８の長径はピックアップツールの先端部７の左右寸法よりも少し大きい寸法とすることが好ましく、ピックアップツールがマイナスドライバーである場合には、８〜１２ｍｍ程度、なかんずく１０ｍｍ前後に設定するのが適当である。
【００２３】
この小型コネクタ基板１００は、上記のような長穴８が小型プリント基板４のコネクタソケット３の直上位置に形成されているため、この小型コネクタ基板１００をメイン基板５から外す場合は、上記長穴８にマイナスドライバーなどのピックアップツールの先端部８を挿入して、白抜きの矢印で示すように真上方向に簡単に引き抜くことができる。従って、小型コネクタ基板１００を回転させる向きの力が作用してコネクタソケット３に大きいストレスがかかることがないので、コネクタソケット３の破損を充分防止することが可能となり、前述した従来の小型コネクタ基板１０２に比べて脱着作業性も大幅に向上するようになる。
【００２４】
なお、この小型コネクタ基板１００は、前述した従来の小型コネクタ基板１０２に比べて長穴８の短径分だけ高さが増すことになるが、前述したワイヤホルダーとコネクタソケットを上下に配置して実装した従来のコネクタ基板１０１ほど高くはならないので、薄型液晶テレビの場合でも高さ制限をクリアしてメイン基板のコネクタベースに接続することができる。
【００２５】
図２に示す薄型液晶テレビは、上記の小型コネクタ基板１００を用いてスピーカとメイン基板を接続したものであって、フロントキャビネット１０ａの前面開口部には液晶モジュール１１が取付けられており、この液晶モジュール１１の背面にはメイン基板５が取付けられている。このフロントキャビネット１０ｂの下部には左右一対のスピーカ９（但し、図２では片方のスピーカのみが図示されている）が取付けられており、このスピーカ９のリードワイヤ１の先端が小型コネクタ基板１００に半田付けされると共に、ワイヤホルダー２で保持されている。そして、この小型コネクタ基板１００のコネクタソケット３はメイン基板５のコネクタベース６に差込み接続され、これによってスピーカ９とメイン基板５が電気的に接続されている。この小型コネクタ基板１００は高さが低いので、薄型液晶テレビのメイン基板５とリアキャビネット１０ｂの間隔が狭くても、高さ制限をクリアして上記のようにスピーカ９とメイン基板５を接続することができる。
【００２６】
この薄型液晶テレビのように、コネクタソケット３の直上位置に長穴８を形成した小型コネクタ基板１００を用いて、フロントキャビネット１０ａのスピーカ９を液晶モジュール１１の背面のメイン基板５に接続していると、前述したように、ピックアップツールの先端部を長穴８に挿入してコネクタソケット３を破損させることなく簡単に引き抜くことができるので、従来のように破損したコネクタソケットを交換する必要がなくなり、コネクタソケットの交換に伴う余計なコストアップを抑えることができる。
【００２７】
以上、薄型液晶テレビのスピーカをメイン基板に接続する場合を例にとって本発明を説明したが、本発明はこれに限定されるものではなく、例えば、リモコン受光部とメイン基板を接続する場合や、各種スイッチとメイン基板を接続する場合や、電源表示用ＬＥＤとメイン基板を接続する場合などにも勿論適用できるものである。
【符号の説明】
【００２８】
１    リードワイヤ
２    ワイヤホルダー
３    コネクタソケット
４    小型プリント基板
５    メイン基板
６    コネクタベース
６ａ  コンタクトピン
７    ピックアップツールの先端部
８    長穴
９    スピーカ
１０ａ  フロントキャビネット
１１  液晶モジュール
１００  小型コネクタ基板
【図１】
2010282857.tif 000003
【図２】
2010282857.tif 000004
【図３】
2010282857.tif 000005
【図４】
2010282857.tif 000006